(57)【要約】【課題】複数の商品を収納した商品陳列什器を正面から見たとき、商品の長手方向に直交する方向を向く側面に掲載されたラベル等の表示が見えやすくて、商品自体を把握しやすい商品陳列什器を提供する。【解決手段】商品陳列什器１は、後板部２と、後板部２の左右の側端部からそれぞれ前方に延びる側板部３，４と、後板部２及び側板部３，４の少なくともいずれかに支持されて商品８が載置される載置板部５と、載置板部５の前端部から上方に延びる前板部６と、を備える。後板部２、左の側板部３、右の側板部４、載置板部５、及び前板部６により区画される商品収納部７が上下に複数個設けられ、商品収納部７は、上下方向を長手方向として設けられている。【選択図】図１
0003234749.tif 000002
【実用新案登録請求の範囲】
【請求項１】
後板部と、
前記後板部の左右の側端部からそれぞれ前方に延びる側板部と、
前記後板部及び前記側板部の少なくともいずれかに支持されて商品が載置される載置板部と、
前記載置板部の前端部から上方に延びる前板部と、を備えた商品陳列什器であって、
前記後板部、前記左の側板部、前記右の側板部、前記載置板部、及び前記前板部により区画される商品収納部が上下に複数個設けられ、
前記商品収納部は、上下方向を長手方向として設けられている、
商品陳列什器。
【請求項２】
前記商品陳列什器を支持する支持部が挿入される穴部が形成されている、
請求項１に記載の商品陳列什器。
【請求項３】
左右のうち一方の側の前記側板部に設けられ、前記一方の側に向けて突出する連結片と、
左右のうち他方の側の前記側板部に設けられ、隣接する前記商品陳列什器の前記連結片が挿通可能なスリットと、を有する、
請求項１または２に記載の商品陳列什器。
【請求項４】
前記連結片は、
前記後板部、前記左の側板部又は前記右の側板部の一部を切り起こすことで形成された切り起こし突起である、
請求項３に記載の商品陳列什器。
【考案の詳細な説明】
【技術分野】
【０００１】
本開示は、商品陳列什器に関する。
【背景技術】
【０００２】
特許文献１には、一定形状の商品を個別に収めた収納部を多段に有するハンガー什器が記載されている。
【先行技術文献】
【特許文献】
【０００３】
【特許文献１】特開２０１７−１７６６０３号公報
【考案の概要】
【考案が解決しようとする課題】
【０００４】
ところで、特許文献１に記載のハンガー什器では、複数の商品を収納したハンガー什器を正面から見たとき、商品の長手方向が傾いた姿勢（商品の上部が前方に向く姿勢）で収納されているため、商品の長手方向に直交する方向を向く側面に掲載されたラベル等の表示が見えづらくて、商品自体を把握しにくいという問題があった。
【０００５】
上記事情に鑑みて、複数の商品を収納した商品陳列什器を正面から見たとき、商品の長手方向に直交する方向を向く側面に掲載されたラベル等の表示が見えやすくて、商品自体を把握しやすい商品陳列什器を提供することを、目的とする。
【課題を解決するための手段】
【０００６】
本開示の一態様に係る商品陳列什器は、後板部と、前記後板部の左右の側端部からそれぞれ前方に延びる側板部と、前記後板部及び前記側板部の少なくともいずれかに支持されて商品が載置される載置板部と、前記載置板部の前端部から上方に延びる前板部と、を備える。前記後板部、前記左の側板部、前記右の側板部、前記載置板部、及び前記前板部により区画される商品収納部が上下に複数個設けられ、前記商品収納部は、上下方向を長手方向として設けられている。
【考案の効果】
【０００７】
本開示の商品陳列什器では、複数の商品を収納した商品陳列什器を正面から見たとき、商品収納部は、上下方向を長手方向として設けられており、商品の上部が上方に向く姿勢で収納されているため、商品の長手方向に直交する方向を向く側面に掲載されたラベル等の表示が見えやすくて、商品自体を把握しやすいという効果を奏する。
【図面の簡単な説明】
【０００８】
【図１】図１は、一実施形態の商品陳列什器を前斜め上方から見たときの斜視図である。
【図２】図２Ａは、同上の商品陳列什器を後斜め下方から見たときの斜視図である。図２Ｂは、同上の商品陳列什器の連結片を切り起こした状態を後斜め下方から見たときの斜視図である。
【図３】図３は、同上の商品陳列什器を示す側面図である。
【図４】図４は、同上の商品陳列什器二つを連結した状態を前斜め上方から見たときの斜視図である。
【考案を実施するための形態】
【０００９】
（一実施形態）
本実施形態の商品陳列什器１について、図１−４に基いて説明する。以下では、図１に示すように、商品陳列什器１が設置された状態を基準として上下方向を規定する。また、設計上、商品陳列什器１に対してこれを利用する利用者が位置する方向を前方と規定し、これの逆方向を後方と規定する。左右方向は、使用者が商品陳列什器１を前方から見たときを基準として規定する。
【００１０】
１−１．商品陳列什器
図１に示すように、商品陳列什器１は、後板部２、左の側板部３、右の側板部４、載置板部５、及び前板部６を備える。本実施形態では、商品陳列什器１は、紙製である。商品陳列什器１は、一体的に形成されている。
【００１１】
１−２．後板部
後板部２は、商品陳列什器１の後面を構成している。後板部２は、上下方向を長手方向とする背面視矩形状である。後板部２は、穴部２０及び切り起こし部２１を有する。なお、穴部２０の詳細については後述する。
【００１２】
図２Ａに示すように、後板部２には、後板部２の一部に切り起こし部２１が設けられている。切り起こし部２１は、略台形の平板状である。切り起こし部２１は、後板部２の右端部に位置する。
【００１３】
切り起こし部２１は、後板部２の切り起こし部２１となる部分の周囲の一部にミシン目２２を形成することによって形成される。切り起こし部２１は、後板部２の右端辺を軸として、右方に切り起こされる。切り起こし部２１は、上下に間隔をあけて、二つ設けられている。
【００１４】
図２Ｂに示すように、切り起こし部２１が後板部２から切り起こされて、切り起こし突起となる。切り起こし突起は、後述する連結片４０である。
【００１５】
１−３．左の側板部
図３に示すように、左の側板部３は、商品陳列什器１の左の側面を構成している。左の側板部３は、後板部２の左の側端部から前方に延びている。左の側板部３は、スリット３０、凹部３１及び突状部３２を有する。なお、スリット３０の詳細については後述する。
【００１６】
凹部３１と突状部３２は、左の側板部３の前端部に位置する。凹部３１は、側面形状が弧状である。凹部３１と突状部３２は、左の側板部３の上下に沿って交互に設けられている。凹部３１は、後述する商品収納部７の左の側板部３に位置する。
【００１７】
１−４．右の側板部
右の側板部４は、商品陳列什器１の右の側面を構成している。右の側板部４は、後板部２の右の側端部から前方に延びている。右の側板部４は、連結片４０、凹部４３及び突状部４４を有する。なお、連結片４０の詳細については後述する。
【００１８】
凹部４３と突状部４４は、右の側板部４の前端部に位置する。凹部４３は、側面形状が弧状である。凹部４３と突状部４４は、右の側板部４の上下に沿って交互に設けられている。凹部４３は、後述する商品収納部７の右の側板部４に位置する。右の側板部４は、左の側板部３に対して平行である。
【００１９】
１−５．載置板部
載置板部５は、商品８を載置するために設けられている。載置板部５は、後板部２、左の側板部３及び右の側板部４の少なくともいずれかに支持される。載置板部５は、後板部２の長手方向（本実施形態では上下方向）に沿って等間隔で複数設けられている。載置板部５は、平面視矩形状である。載置板部５の前端から上方に前板部６が延びている。
【００２０】
１−６．前板部
前板部６は、商品収納部７の前面を構成する。前板部６は、正面視矩形状である。前板部６は、後板部２に対して平行である。前板部６の左右の端部は、左右の側板部３，４の突状部３２，４４と連続している。前板部６は、載置板部５に載置された商品８が載置板部５上を前方に移動するのを規制するため、商品８が載置板部５の前縁より落下するのが防止される。
【００２１】
１−７．商品収納部
後板部２、左の側板部３、右の側板部４、載置板部５、及び前板部６により商品収納部７が構成される。具体的には、商品収納部７は、後板部２、左の側板部３、右の側板部４、載置板部５、及び前板部６により区画される。更に説明を加えると、商品収納部７は、後板部２、左の側板部３、右の側板部４、載置板部５、前板部６及び上側の商品収納部７の載置板部５により区画される。商品収納部７は、上下に複数個設けられている。なお、一番上の商品収納部７の上側には載置板部５が存在しないため、一番上の商品収納部７の上限はない。
【００２２】
商品収納部７は、上下方向を長手方向として設けられている。一つの商品収納部７には、一つの商品８が収納される。商品収納部７は、商品８を挿通するために設けられた開口部７０を有する。
【００２３】
開口部７０は、左の側板部３の前端縁（凹部３１を構成する端縁）と、右の側板部４の前端縁（凹部４３を構成する端縁）と、前板部６の上端縁と、上側の商品収納部７を構成する前板部６の下端縁と、で囲まれる部分である。
【００２４】
１−８．穴部
穴部２０は、後板部２の上端部に位置する。穴部２０は、商品陳列什器１を支持するために形成されている。穴部２０には、商品陳列什器１を支持する支持部（図示略）が挿入される。支持部は、例えば、フック状の吊り下げ部材である。本実施形態では、穴部２０は、前後方向に貫通している。穴部２０は、複数設けられている。
【００２５】
１−９．連結片
図４に示すように、連結片４０は、右の側板部４の後端部に位置する。連結片４０は、隣接した商品陳列什器１のスリット３０に挿通する。挿通された連結片４０は、隣接した商品陳列什器１の内側に位置する。
【００２６】
連結片４０は、右方に突出した突出部４１と、突出部４１の下方に位置する引っ掛け部４２と、を有する。引っ掛け部４２は、右側に隣接した商品陳列什器１の左の側板部３の内側に引っ掛かるように構成されている。
【００２７】
右の側板部４は、連結片４０として、上部に位置する第一連結片４０Ａと、第一連結片４０Ａの下方に位置する第二連結片４０Ｂと、を有する。
【００２８】
１−１０．スリット
スリット３０は、左の側板部３の後端部に位置する。本実施形態では、スリット３０は、左の側板部３の後端部の一部を上下に沿って形成された切溝である。
【００２９】
左の側板部３は、スリット３０として、上部に位置し、第一連結片４０Ａが挿通可能な第一スリット３０Ａと、第一スリット３０Ａの下方に位置し、第二連結片４０Ｂが挿通可能な第二スリット３０Ｂと、を有する。
【００３０】
２．商品
図１に商品８を商品陳列什器１に収納した状態を示す。商品８は、その長手方向に直交する方向を向く側面にラベル等が貼られたり、印刷されたりすることにより表示が設けられたものである。商品８は、商品収納部７の前面が開口した部分から収納される。商品８の上部は、上方に向く姿勢で商品収納部７に収納される。本実施形態では、商品８は、円筒状のビンであるが、形状、大きさ、材質、及び内容物等は、限定されない。
【００３１】
３．使用方法
本実施形態の商品陳列什器１では、商品８が商品収納部７に収納される。商品８は、商品収納部７の開口部７０を挿通する。このとき、商品８は、前板部６を避けるように上部が斜め前上方を向く姿勢にして、開口部７０を挿通させる。その後、商品８の上部は、上方を向く姿勢に戻して載置板部５に載置される。載置板部５上に載置された商品８は、商品収納部７の前端部により側方への移動が規制されるため、商品陳列什器１から落下しない。商品収納部７に収納された商品８を取り出そうとする者は、開口部７０を介して前方に取り出す。このとき、商品８は、前板部６を避けるように上部が斜め前上方を向く姿勢にして、開口部７０を挿通させる。商品収納部７の左右の側板部３，４に凹部３１，４３が設けられている。このため、商品８を取り出そうとする者が、斜めから取り出しても掴みやすくなる。
【００３２】
また、本実施形態の商品陳列什器１では、商品陳列什器１を隣接して配置することができる。この場合、左に位置する商品陳列什器１のミシン目２２に沿って切り起こし部２１を切り起こして、連結片４０を右方に向け、その連結片４０を右に位置する商品陳列什器１の左の側板部３のスリット３０に挿入させる。このとき、左側の商品陳列什器１の高さが右側の商品陳列什器１の高さよりも高い位置で、水平方向（右方向）に移動させ、連結片４０をスリット３０に挿入させる。その後、左側の商品陳列什器１が位置する高さを右側の商品陳列什器１の高さと同じ高さにすると、左側の商品陳列什器１の引っ掛け部４２が右側の商品陳列什器１の左の側板部３の内側に引っ掛かり、複数の商品陳列什器１が連結される。
【００３３】
４．作用効果
本実施形態の商品陳列什器１においては、複数の商品８を収納した商品陳列什器１を正面から見たとき、商品収納部７は、上下方向を長手方向として設けられており、商品８の上部が上方に向く姿勢で収納されているため、商品８の長手方向に直交する方向を向く側面に掲載されたラベル等の表示が見えやすくて、商品８自体を把握しやすい。
【００３４】
また、商品陳列什器１は、商品陳列什器１に異なった種類の商品８又は同じ種類の商品８を収納しても商品８の表面に掲載されたラベル等の表示が見えやすくて、商品８を選びやすいため、商品８の配置を適宜変更ができる。
【００３５】
また、商品陳列什器１は、商品収納部７の上下方向を長手方向として設けることで、商品陳列什器１を売り場等に省スペースで設置することができる。
【００３６】
また、商品陳列什器１は、右側の側板部４に連結片４０が設けられ、左側の側板部３にスリット３０が設けられており、商品陳列什器１を隣接して配置されたとき、連結片４０がスリット３０に挿通するように構成されている。このため、複数の商品陳列什器１に一体感があって、乱雑に並べられているように見えにくい。
【００３７】
また、商品陳列什器１は、売り場等の設置スペースによって、一つの商品陳列什器１を設置したり、商品陳列什器１を隣接して設置したりして使用することができる。
【００３８】
また、切り起こし部２１は、後板部２の一部にミシン目２２で囲まれて形成されているため、そのミシン目２２でもって、その切り起こし部２１を切り起こすことができる。また、切り起こし部２１は、後板部２にミシン目２２で囲まれて形成されているため、後板部２をカッター等で切る手間が省け、かつ、後板部２をカッター等で切る位置を決めなくてもよい。
【００３９】
また、商品陳列什器１に穴部２０が形成されることで、壁等に吊り下げることができ、加えて、陳列棚から支持部が延びている場合には、陳列棚に商品陳列什器１を支持させることができる。
【００４０】
５．変形例
以上説明した本実施形態の商品陳列什器１の変形例について説明する。
【００４１】
商品陳列什器１は、樹脂製及び金属製等であってもよい。また、商品陳列什器１は、商品陳列什器１のうち一部分が樹脂製で、他の部分が紙製であってもよい。
【００４２】
また、商品陳列什器１は、主に、売り場に据え付けられている陳列棚等に取り付けられたり、吊り下げられたりして使用されるが、机上等に載置されてもよい。
【００４３】
また、商品陳列什器１は、商品陳列什器１の全体又は一部分に広告等を掲載する広告掲載部を設けてもよい。
【００４４】
また、連結片４０は、商品陳列什器１の左右のうち一方の側の側板部３，４に設けられていればよい。この場合、スリット３０は、商品陳列什器１の左右のうち他方の側の側板部３，４に設けられる。
【００４５】
また、切り起こし部２１は、商品陳列什器１の左右のうち一方の側の側板部３，４に設けられてもよい。この場合、切り起こし部２１は、左右のうち一方の側の側板部３，４の後端辺を軸として、後方に切り起こされる。
【００４６】
また、商品陳列什器１が連結しない場合、切り起こし部２１を切り起こさなくてもよい。この場合、商品陳列什器１に突出した部分がないため、見栄えがよい。
【００４７】
また、商品陳列什器１は、切り起こし部２１、スリット３０及び連結片４０を設けなくてもよく、少なくとも、商品収納部７を設けていればよい。
【００４８】
また、商品収納部７は、少なくとも、商品８を受ける載置板部５を有すればよい。
【００４９】
また、商品収納部７の形状及び大きさは、限定されない。具体的には、後板部２、左の側板部３、右の側板部４、載置板部５、及び前板部６の形状及び大きさは限定されない。
【００５０】
また、一つの商品収納部７には、二つ以上の商品８が収納されてもよい。
【００５１】
６．まとめ
以上説明した本実施形態及びその変形例の商品陳列什器（１）のように、第一態様の商品陳列什器（１）は、下記の構成を備える。
【００５２】
すなわち、第一態様の商品陳列什器（１）では、商品陳列什器（１）は、後板部（２）と、後板部（２）の左右の側端部からそれぞれ前方に延びる側板部（３，４）と、後板部（２）及び側板部（３，４）の少なくともいずれかに支持されて商品が載置される載置板部（５）と、載置板部（５）の前端部から上方に延びる前板部（６）と、を備える。後板部（２）、左の側板部（３）、右の側板部（４）、載置板部（５）、及び前板部（６）により区画される商品収納部（７）が上下に複数個設けられ、商品収納部（７）は、上下方向を長手方向として設けられている。
【００５３】
上記構成を備える第一態様の商品陳列什器（１）では、複数の商品（８）を収納した商品陳列什器（１）を正面から見たとき、商品収納部（７）は、上下方向を長手方向として設けられており、商品（８）の上部が上方に向く姿勢で収納されているため、商品（８）の長手方向に直交する方向を向く側面に掲載されたラベル等の表示が見えやすくて、商品（８）自体を把握しやすい。
【００５４】
また、第二態様の商品陳列什器（１）は、第一態様の構成に加えて、下記の構成を付加的に備える。
【００５５】
すなわち、第二態様の商品陳列什器（１）では、商品陳列什器（１）を支持する支持部が挿入される穴部（２０）が形成されている。
【００５６】
上記構成を備える第二態様の商品陳列什器（１）では、支持部が挿入される穴部（２０）が形成されることで、商品陳列什器（１）が机上等に載置されてるだけでなく、売り場に据え付けられている陳列棚等に取り付けられたり、吊り下げられたりすることができる。
【００５７】
また、第三態様の商品陳列什器（１）は、第一又は第二の態様の構成に加えて、下記の構成を付加的に備える。
【００５８】
すなわち、第三態様の商品陳列什器（１）では、商品陳列什器（１）は、左右のうち一方の側の側板部（３，４）に設けられ、一方の側に向けて突出する連結片（４０）と、左右のうち他方の側の側板部（３，４）に設けられ、隣接する商品陳列什器（１）の連結片（４０）が挿通可能なスリット（３０）と、を有する。
【００５９】
上記構成を備える第三態様の商品陳列什器（１）では、商品陳列什器（１）は、連結片（４０）とスリット（３０）を設けることで、商品陳列什器（１）を隣接して配置することができる。商品陳列什器（１）を隣接して配置するとき、連結片（４０）が隣接する商品陳列什器（１）のスリット（３０）に挿通することで、複数の商品陳列什器（１）に一体感があって、乱雑に並べられているように見えにくい。また、第三態様の商品陳列什器（１）では、商品陳列什器（１）は、売り場等の設置スペースによって、一つの商品陳列什器（１）を設置したり、商品陳列什器（１）を隣接して設置したりして使用することができる。
【００６０】
また、第四態様の商品陳列什器（１）は、第三の態様の構成に加えて、下記の構成を付加的に備える。
【００６１】
すなわち、第四態様の商品陳列什器（１）では、連結片（４０）は、後板部（２）、左の側板部（３）又は右の側板部（４）の一部を切り起こすことで形成された切り起こし突起である。
【００６２】
上記構成を備える第四態様の商品陳列什器（１）では、商品陳列什器（１）を隣接するときに、切り起こして連結片（４０）として使用することができる。
【００６３】
以上、本開示を添付図面に示す形態に基づいて説明したが、本開示は上記形態の一例にすぎず、本開示の意図する範囲内であれば、適宜の設計変更が可能である。
【符号の説明】
【００６４】
１      商品陳列什器
２      後板部
２０    穴部
３      左の側板部
３０    スリット
４      右の側板部
４０    連結片
５      載置板部
６      前板部
７      商品収納部
８      商品
【図１】
0003234749.tif 000003
【図２】
0003234749.tif 000004
【図３】
0003234749.tif 000005
【図４】
0003234749.tif 000006